(57)【要約】【課題】トーンスケルチ方式により、音声信号とデータとの双方を送信することができるように改良された無線通信システムを提供することを目的とする。【解決手段】本発明にかかる無線通信システムは、１つのチャネルを第１の周波数帯と第２の周波数帯に分割し、前記第１の周波数帯と前記第２の周波数帯を使用して音声信号とデータを同時に、あるいは前記音声信号と前記データの一方を送信側無線機から受信側無線機に送信する無線通信システムであって、前記送信側無線機は、前記音声信号のみを送信するときは、前記第１の周波数帯に前記音声信号を割り当てて送信し、前記データのみを送信するときは、前記第１の周波数帯に前記データを割り当て、前記第２の周波数帯に所定の信号を割り当てて送信し、前記音声信号と前記データを同時に送信するときは、前記第１の周波数帯に前記音声信号を割り当て、前記第２の周波数帯に前記データを割り当てて送信する。【選択図】図３
2009232032.tif 000002
【特許請求の範囲】
【請求項１】
１つのチャネルを第１の周波数帯と第２の周波数帯に分割し、前記第１の周波数帯と前記第２の周波数帯を使用して音声信号とデータを同時に、あるいは前記音声信号と前記データの一方を送信側無線機から受信側無線機に送信する無線通信システムであって、
前記送信側無線機は、
前記音声信号のみを送信するときは、前記第１の周波数帯に前記音声信号を割り当てて送信し、
前記データのみを送信するときは、前記第１の周波数帯に前記データを割り当て、前記第２の周波数帯に所定の信号を割り当てて送信し、
前記音声信号と前記データを同時に送信するときは、前記第１の周波数帯に前記音声信号を割り当て、前記第２の周波数帯に前記データを割り当てて送信し、
前記受信側無線機は、
前記音声信号を出力する音声信号出力手段と、前記データを出力するデータ出力手段とを備えると共に、
前記送信側無線機から送信された信号に前記所定の信号が含まれているときは、前記第１の周波数帯に割り当てられた信号を前記データ出力手段に供給し、
前記送信側無線機から送信された信号に前記所定の信号が含まれていないときは、前記第１の周波数帯に割り当てられた信号を前記音声信号出力手段に供給し、前記第２の周波数帯に割り当てられた信号を前記データ出力手段に供給する  無線通信システム。
【発明の詳細な説明】
【技術分野】
【０００１】
本発明は、トーンスケルチ方式を用いた無線通信システムに関する。
【背景技術】
【０００２】
例えば、特許文献１は、トーンスケルチ方式の無線受信機を開示する。
トーンスケルチ方式は、相手局から送信される電波が自局の周波数と同じで、送信電波に重畳されるスケルチ信号が、自局の受信スケルチ信号と一致する場合にのみ、スピーカから音声を出力させる（ＯＮにする）ことにより、同一周波数を使用している第三者の不要通信を遮断する。
上述したトーンスケルチ方式による無線機の上記制御は、音声帯域（３００Ｈｚ〜３．４ＫＨｚ）を音声信号として利用し、音声帯域以下（３００Ｈｚ以下）を、スケルチ信号として利用することにより実現される。
【０００３】
スケルチ信号としては、一般的に、アナログ変調方式により変調された信号ＣＴＣＳＳ（Continuous Tone Coded Squelch）、および、デジタル符号ＤＣＳ（Degitally Coded Squelch）の２種類が用いられる。
ＤＣＳは、８３種類あり、それぞれ２３ビットのＤＣＳコードを、１３４．４ｂｐｓで、搬送波を直接ＦＭ変調することにより得られ、送信期間中の音声またはデータに重畳されて、連続的に送信される。
上述したトーンスケルチ方式の無線機では、音声信号のみの送信を想定しており、音声信号とデータとの双方を送信することはできなかった。
【特許文献１】特開平８−４６５４０
【発明の開示】
【発明が解決しようとする課題】
【０００４】
本発明は、上述した背景からなされ、トーンスケルチ方式により、音声信号とデータとの双方を送信することができるように改良された無線通信システムを提供することを目的とする。
【課題を解決するための手段】
【０００５】
上記目的のために、本発明にかかる無線通信システムは、１つのチャネルを第１の周波数帯と第２の周波数帯に分割し、前記第１の周波数帯と前記第２の周波数帯を使用して音声信号とデータを同時に、あるいは前記音声信号と前記データの一方を送信側無線機から受信側無線機に送信する無線通信システムであって、前記送信側無線機は、前記音声信号のみを送信するときは、前記第１の周波数帯に前記音声信号を割り当てて送信し、前記データのみを送信するときは、前記第１の周波数帯に前記データを割り当て、前記第２の周波数帯に所定の信号を割り当てて送信し、前記音声信号と前記データを同時に送信するときは、前記第１の周波数帯に前記音声信号を割り当て、前記第２の周波数帯に前記データを割り当てて送信し、前記受信側無線機は、前記音声信号を出力する音声信号出力手段と、前記データを出力するデータ出力手段とを備えると共に、前記送信側無線機から送信された信号に前記所定の信号が含まれているときは、前記第１の周波数帯に割り当てられた信号を前記データ出力手段に供給し、前記送信側無線機から送信された信号に前記所定の信号が含まれていないときは、前記第１の周波数帯に割り当てられた信号を前記音声信号出力手段に供給し、前記第２の周波数帯に割り当てられた信号を前記データ出力手段に供給することを特徴とする無線通信システム。
【発明の効果】
【０００６】
本発明にかかる無線通信システムによれば、トーンスケルチ方式により、音声信号とデータとの双方を送信することができるように改良された無線通信システムが得られる。
【発明を実施するための最良の形態】
【０００７】
［本発明の概要］
図１は、本発明に係る送信側無線機１の構成を示す図である。
図２は、本発明に係る受信側無線機２の構成を示す図である。
なお、実際には、送信側無線機１は、受信側無線機２からの信号を受信するための受信部を有し、受信側無線機２は、送信側無線機１に対して信号を送信するための送信部を有するが、説明の具体化・明確化のために、これらの構成部分は、図１，図２において、省略されている。
図３は、本発明にかかる送信側無線機１（図１）および受信側無線機２（図２）による周波数帯域利用方法を例示する図であって、（Ａ）は音声通信を行う場合（音声送信モード・音声受信モード）の周波数帯域の利用方法を示し、（Ｂ）はデータ通信を行う場合（データ送信モード・データ受信モード）の周波数帯域の利用方法を示し、（Ｃ）は音声通信とデータ通信を同時に行なう場合（音声／データ送信モード・音声／データ受信モード）の周波数帯域の利用方法を示す。
図４は、送信側無線機１（図１）および受信側無線機２（図２）のチャネルごとに設定される設定情報（チャネル毎設定情報）を例示する図である。
【０００８】
送信側無線機１は、受信側無線機２に対して、音声信号、データおよびＤＣＳコードを無線により送信し、受信側無線機２は、送信側無線機１が送信したこれらを受信する。
例えば、送信側無線機１（図１）と受信側無線機２（図２）との間で、図３（Ａ）に示された音声通信が行われる場合には、図４に示した３つのチャネル（ＣＨ）の内、送信側無線機１では２チャネル（２ＣＨ）、受信側無線機２では３チャネル（３ＣＨ）が用いられ、図３（Ｃ）に示されたデータ通信が行なわれる場合には、送信側無線機１では図４に示された１チャネルまたは３チャネル（１ＣＨ，３ＣＨ）、受信側無線機２では３チャネル（３ＣＨ）が用いられるように取り決められている。
これら１〜３ＣＨそれぞれには、図４に示すように、送信側無線機１の送信周波数、送信するＤＣＳ符号（０２３）、受信側無線機２の受信周波数、受信するＤＣＳ符号（０２３）、スケルチ信号を検出したときの動作の定義などが、チャネル毎設定情報として設定される。
【０００９】
ユーザは、音声通信を行う場合は、送信側無線機１に対して、２チャネル（２ＣＨ）を指定し、送信側無線機１は、図３（Ａ）に示すように、音声信号にＤＣＳコード（スケルチ信号）を重畳せずに送信する（音声送信モード）。
また、ユーザは、データ通信を行う場合は、送信側無線機１に対して、１ＣＨまたは３ＣＨを指定し、送信側無線機１は、図３（Ｂ）に示すように、データにＤＣＳコードを重畳して送信する（データ送信モード）。
【００１０】
送信側無線機１は、図３（Ａ）に示す音声送信モードの状態で、ユーザからデータ通信の要求を受けた場合には、図３（Ｃ）に示すように、図３（Ｂ）に示すスケルチ信号の周波数帯域（以下、「帯域」と記す）で、データの送信を行うことにより、音声通信とデータ通信を同時に行なう（音声／データ送信モード）。
また、送信側無線機１は、図３（Ｂ）に示すデータ送信モードの状態で、ユーザから音声送信の要求を受けた場合には、図３（Ｃ）に示すように、図３（Ｂ）に示すスケルチ信号の帯域で、データの送信を行うように切り替えを行うことにより、音声通信とデータ通信を同時に行なう。
【００１１】
［送信側無線機１］
以下、本発明にかかる送信側無線機１の構成および各構成部部の動作を説明する。
図１に示すように、送信側無線機１は、マイク１００、ＨＰＦ（High-Pass Filter）１０２、加算器１０４、チャネルスイッチ１０６、ＰＴＴスイッチ１０８、データ入力端子１１０、ＤＣＳエンコーダ１１２、ＬＰＦ（Low-Pass Filter）１１４、ＭＳＫ（Minimum Shift Keying）変調器１１６、ＦＭ送信機１１８、アンテナ１２０、マイク操作検出部１２２および制御部１４から構成される。
制御部１４は、ＣＰＵ１４０およびメモリ１４２をなどのコンピュータとしての構成部分を含んでいる。
なお、各図においては、実質的に同じ構成部分には、同じ符号が付される。
送信側無線機１は、これらの構成部分により、ユーザの操作に応じて、上述の音声送信モード、データ送信モードまたは音声／データ送信モードによる通信を行う。
【００１２】
図１において、マイク１００は、ユーザにより入力された音声信号を受けて、ＨＰＦ１０２に対して出力する。
ＨＰＦ１０２は、マイク１００から入力された音声信号のカットオフ周波数以下の成分、つまり、ＤＣＳコードの送信に用いられる帯域成分を除去し、音声信号のみを通過させる。
例えば、図３（Ｃ）に示したように、３００Ｈｚ以下の帯域がスケルチ信号のために使用され、３００Ｈｚ〜３．４ｋＨｚが音声信号のために使用される場合、ＨＰＦ１０２のカットオフ周波数は、３００Ｈｚと設定される。
【００１３】
ＤＣＳエンコーダ１１２は、制御部１４により設定されたＤＣＳコードを作成し、上述のように、例えば、１３４．４ｂｐｓの低いデータレートで、ＬＰＦ１１４に対して出力する。
ＬＰＦ１１４は、ＤＣＳエンコーダ１１２から入力されたＤＣＳコードから、カットオフ周波数以下の成分を通過させてアナログ信号に変換し、ＤＣＳ信号として、加算器１０４に対して出力する。
ＭＳＫ変調器１１６は、制御部１４から入力されたデータをＭＳＫ変調し、データを送信するための信号（データ信号）として加算器１０４に対して出力する。
【００１４】
ＨＰＦ１０２を通過した音声信号、ＬＰＦ１１４を通過したＤＣＳ信号、ＭＳＫ変調器１１６から出力されたデータ信号は、それぞれ、加算器１０４に入力される。
加算器１０４は、入力されたこれらの信号を加算し、ＦＭ送信機１１８に対して出力する。
ＦＭ送信機１１８は、制御部１４により設定された送信周波数の搬送波信号を、加算器１０４から入力された信号によりＦＭ変調し、アンテナ１２０を介して、受信側装置２（図２）に対して送信する。
【００１５】
マイク操作検出部１２２は、ユーザによるマイク操作を検出し、制御部１４に対して出力する。
具体的には、マイク操作検出部１２２は、マイクが掛け金具から外されたこと（マイク操作開始情報）、または、掛け金具に戻されたこと（マイク操作終了情報）などを検出する。
チャネルスイッチ１０６は、ユーザによるチャネル選択の操作に応じて、ユーザにより選択されたチャネルを示す情報を、制御部１４に対して出力する。
ＰＴＴ(Push To Talk)スイッチ１０８は、ＦＭ送信機１１８を起動し、音声信号を送信させるために用いられ、ユーザにより押下を受け入れて、制御部１４に対して出力する。
データ入力端子１１０は、外部のコンピュータなどからデータを受け入れ、制御部１４に対して出力する。
【００１６】
［制御部１４］
以下、制御部１４による送信側無線機１の各構成部分に対する制御動作を説明する。
【００１７】
（１）音声送信モード：
まず、図３（Ａ）に示した音声送信モードにおける制御部１４の動作を説明する。
制御部１４は、チャネルスイッチ１０６から入力されたチャネル情報と、チャネル毎設定情報（図４）とに従って、送信周波数を決定し、ＦＭ送信機１１８の送信周波数を制御し、さらに、送信ＤＣＳコードを決定し、ＤＣＳエンコーダ１１２を制御する。
具体的には、例えば、ユーザが、音声送信のために、チャネルスイッチ１０６を用いて２ＣＨを選択すると、制御部１４は、音声送信モードとなり、図２に示した例によると、送信周波数を１５０．０ＭＨｚとし、送信ＤＣＳコードを無効とする。
さらに、制御部１４は、ユーザによりＰＴＴスイッチ１０８が押下されると、ＦＭ送信機１１８の送信機能を起動し、音声送信を行わせる。
【００１８】
（２）データ送信モード：
次に、図３（Ｂ）に示したデータ送信モードの際の制御部１４の動作を説明する。
制御部１４は、チャネルスイッチ１０６から入力されたチャネル情報（ＣＨ１，ＣＨ３）と、チャネル毎設定情報（図４）とに従って、送信周波数（図４の例においては「１５０ＭＨｚ」）を決定し、ＦＭ送信機１１８の送信周波数を制御し、さらに、送信ＤＣＳコード（同じく「０２３」）を決定し、ＤＣＳエンコーダ１１２に対して出力する。
【００１９】
さらに、データ入力端子１１０からデータが入力されると、制御部１４は、入力されたデータを、ＭＳＫ変調器１１６に対して出力する。
ＭＳＫ変調器１１６に入力されたデータは、ＭＳＫ変調されて、送信信号の３００Ｈｚ〜３．４ｋＨｚの帯域により、音声／データ送信モードにおけるデータよりも高いデータレートで加算器１０４およびＦＭ送信機１１８を介して、受信側無線機２に対して送信される。
【００２０】
また、ＤＣＳエンコーダが生成したＤＣＳコードは、ＬＰＦ１１４により３００Ｈｚ以下に帯域制限され、加算器１０４およびＦＭ送信機１１８介して、受信側無線機２に対して送信される。
【００２１】
（３）音声／データ送信モード：
次に、図３（Ｃ）に示した音声／データ送信モードにおける制御部１４の動作を説明する。
音声送信モードにより音声通信が行われているときに、データ入力端子１１０からデータが入力されると、制御部１４は、音声／データ送信モードに移行する。
つまり、制御部１４は、入力されたデータを、低いデータレート（例えば、上述の１３４．４ｂｐｓ）でＬＰＦ１１４に対して出力し、図３（Ｃ）に示したように、音声通信に用いられない３００Ｈｚ以下の帯域を利用して、ＦＭ送信機１１８から受信側無線機２（図２）に対して送信させる。
また、データ送信モードによりデータ通信が行われているときに、マイク操作検出部１６２が、ユーザによるマイク操作を検出すると、制御部１４は、同様に、音声／データ送信モードに移行する。
つまり、音声信号が図３（Ｃ）で示した帯域で送信され、制御部１４は、ＭＳＫ変調器１１６に対して出力していたデータを、低いデータレート（例えば、上述の１３４．４ｂｐｓ）でＬＰＦ１１４に対して出力し、図３（Ｃ）に示したように、音声通信に用いられない３００Ｈｚ以下の帯域を利用して、ＦＭ送信機１１８から受信側無線機２（図２）に対して送信させる。
なお、データ送信モードから音声／データ送信モードへの移行は、マイク操作検出部１２２によるマイク操作の検出ではなく、ユーザによるデータ入力端子１１０へのキー操作などを契機として行われてもよい。
【００２２】
［受信側無線機２］
以下、本発明にかかる受信側無線機２の構成および各構成部分の動作を説明する。
図２に示すように、受信側無線機２は、ＦＭ受信機２００、ＨＰＦ２０２、ＬＰＦ２０４、ＭＳＫ復調器２０６、ＤＣＳデコーダ２０８、スイッチ２１０、音声増幅器２１２、スピーカ２１４、チャネルスイッチ２１６、加算器２１８、アンテナ２２０、データ受信部２２２、スイッチ２２４、データ出力端子２２６および制御部２４から構成される。
制御部２４は、送信側無線機１の制御部１４と同様に、ＣＰＵ２４０およびメモリ２４２など、コンピュータとしての構成部分を含んでいる。
【００２３】
受信側無線機２において、ＦＭ受信機２００は、制御部２４により設定された受信周波数で、アンテナ２２０を介して受信した信号をＦＭ復調し、ＨＰＦ２０２、ＬＰＦ２０４およびＭＳＫ復調器２０６に対して出力する。
ＨＰＦ２０２は、ＦＭ受信機２００から入力された信号から、ＤＣＳコードの帯域を除去し、音声信号のみを、スイッチ２１０を介して音声増幅器２１２に対して出力する。
送信側無線機１において同様に、３００Ｈｚ以下の帯域がＤＣＳコード（スケルチ信号）のために使用される場合、ＨＰＦ１０２のカットオフ周波数は、３００Ｈｚと設定される。
【００２４】
ＬＰＦ２０４は、ＦＭ受信機２００から入力された信号から、ＤＣＳ信号の帯域のみを通過させ、ＤＣＳデコーダ２０８およびデータ受信部２２２に対して出力する。
ＭＳＫ復調器２０６は、ＦＭ受信機２００から入力された信号に対してＭＳＫ復調を行い、データを復調して加算器２１８に対して出力する。
【００２５】
ＤＣＳデコーダ２０８は、ＬＰＦ２０４から入力されたＤＣＳ信号、制御部２４により設定されたＤＣＳコードの情報、および、ＤＣＳ検出時の動作情報（図２）に従って、スイッチ２１０，２４４を制御して開閉させる。
具体的には、ＤＣＳデコーダ２０８は、ＬＰＦ２０４から入力されたＤＣＳ信号と、制御部２４により設定された受信ＤＣＳコードとが一致したときは、スイッチ２１０を開かせて、ＦＭ受信機２００からの信号が、音声増幅器２１２などを介して出力されないようにし、スイッチ２２４を閉じさせて、ＦＭ受信機２００からの信号を、ＭＳＫ復調器２０６に対して入力させる。
また、これ以外のときには、ＤＣＳデコーダ２０８は、スイッチ２１０を閉じさせ、スイッチ２２４を開かせる。
チャネルスイッチ２１６は、ユーザによるチャネル選択の操作に応じて、ユーザにより選択されたチャネルを示す情報を、制御部２４に対して出力する。
【００２６】
音声増幅器２１２は、ＨＰＦ２０２から入力された音声信号を増幅し、スピーカ２１４を介して出力する。
データ受信部２２２は、ＬＰＦ２０４から入力されたアナログ信号からデータ（図３（Ｃ））を受信し、加算器２１８に対して出力する。
なお、データ受信部２２２は、図３（Ｃ）に示したデータ以外を通過させない。
加算器２１８は、データ受信部２２２から入力されたデータ、および、ＭＳＫ復調器２０６から入力されたデータを制御部２４に対して出力する。
【００２７】
［制御部２４］
以下、制御部２４による受信側無線機２の各構成部分に対する制御動作を説明する。
【００２８】
（１）音声受信モード：
まず、送信側無線機１（図１）が、音声送信モード（図３（Ａ））により送信した信号を受信する音声受信モードにおける制御部２４の動作を説明する。
制御部２４は、チャネルスイッチ２１６から入力されたチャネル情報（ＣＨ３）と、チャネル毎設定情報（図４）とに従って、受信周波数（図４の例においては「１５０ＭＨｚ」）を決定し、ＦＭ受信機２００の受信周波数を制御し、さらに、受信ＤＣＳコード（同じく「０２３」）を決定し、ＤＣＳデコーダに設定する。
ＤＣＳデコーダ２０８は、制御部２４から設定されたＤＣＳコードと、ＬＰＦ２０４を介してＦＭ受信機２００から入力された受信信号から得られたＤＣＳコードとが一致する場合は、スイッチ２１０を開き、スイッチ２２４とを閉じる。
つまり、送信側無線機１（図１）が、音声送信モード（図３（Ａ））により送信した信号には、ＤＣＳコードが含まれていないため、制御部２４は、スイッチ２１０を閉じ、ＦＭ受信機２００が出力する音声信号を通過させ、音声増幅器２１２に対して出力することにより、音声受信モードとなる。
音声増幅器２１２は、入力された音声信号を増幅し、スピーカ２１４から出力させる。
【００２９】
（３）データ受信モード：
次に、送信側無線機１が、データ送信モード（図３（Ｂ））により送信した信号を受信するデータ受信モードの際の制御部２４の動作を説明する。
制御部２４は、チャネルスイッチ２１６から入力されたチャネル情報（ＣＨ３）と、チャネル毎設定情報（図４）とに従って、受信周波数（図４の例においては「１５０ＭＨｚ」）を決定し、ＦＭ受信機２００の受信周波数を制御し、さらに、受信ＤＣＳコード（同じく「０２３」）を決定し、ＤＣＳデコーダに設定する。
【００３０】
ＤＣＳデコーダ２０８は、制御部２４から設定されたＤＣＳコードと、ＬＰＦ２０４を介してＦＭ受信機２００から入力された受信信号から得られたＤＣＳコードとが一致すると、スイッチ２１０を開き、スイッチ２２４とを閉じる。
つまり、送信側無線機１（図１）が、データ送信モード（図３（Ｃ））により送信した信号には、ＤＣＳコード（０２３）が含まれているため、制御部２４は、スイッチ２２４を開き、ＭＳＫ復調器２０６が、スイッチ２２４を介してＦＭ受信機２００から入力された受信信号から復調したデータを受け入れ、データ出力端子２２６を介して、外部のコンピュータなどに対して出力することにより、データ受信モードとなる。
【００３１】
（３）音声／データ受信モード：
次に、送信側無線機１（図１）が、音声／データ送信モード（図３（Ｃ））により送信した信号を受信する音声／データ受信モードにおける制御部２４の動作を説明する。
制御部２４は、チャネルスイッチ２１６から入力されたチャネル情報（ＣＨ３）と、チャネル毎設定情報（図４）とに従って、受信周波数（図４の例においては「１５０ＭＨｚ」）を決定し、ＦＭ受信機２００の受信周波数を制御し、さらに、受信ＤＣＳコード（同じく「０２３」）を決定し、ＤＣＳデコーダに設定する。
【００３２】
ＤＣＳデコーダ２０８は、制御部２４から設定されたＤＣＳコードと、ＬＰＦ２０４を介してＦＭ受信機２００から入力された受信信号から得られたＤＣＳコードとが一致すると、スイッチ２１０を開き、スイッチ２２４とを閉じる。
つまり、送信側無線機１（図１）が、音声／データ送信モード（図３（Ｃ））により送信した信号には、ＤＣＳコードが含まれていないため、制御部２４は、スイッチ２１０を開き、ＦＭ受信機２００が出力する音声信号を通過させ、音声増幅器２１２に対して出力させ、さらに、３００Ｈｚ以下の帯域で伝送されてきた低速のデータをデータ受信部２２２を介して受信し、データ出力端子２２６から、外部のコンピュータ（図示せず）などに対して出力することにより、音声／データ受信モードとなる。
【００３３】
［送信側無線機１および受信側無線機２を通した全体動作］
以下、送信側無線機１および受信側無線機２を通した全体動作を説明する。
図５は、送信側無線機１（図１）の送信動作および受信側無線機２（図２）の受信動作を示す図であって、（Ａ）は、送信側無線機１が音声信号を送信するタイミング、データを送信するタイミング、および、ＤＣＳコードを送信するタイミングを示し、（Ｂ）は、受信側無線機２が音声信号を受信するタイミング、データを受信するタイミング、ＤＣＳコードを受信するタイミング、および、スピーカ２１４から音声を出力するタイミングを示す。
図６は、送信側無線機１（図１）における信号・データの流れを示す図であって、（Ａ）は、音声送信モードにおける信号・データの流れを示し、（Ｂ）は、データ送信モードにおける信号・データの流れを示し、（Ｃ）は、音声／データ送信モードにおける信号・データの流れを示す。
図７は、受信側無線機２（図２）における信号・データの流れを示す図であって、（Ａ）は、音声受信モードにおける信号・データの流れを示し、（Ｂ）は、データ受信モードにおける信号・データの流れを示し、（Ｃ）は、音声／データ受信モードにおける信号・データの流れを示す。
【００３４】
［音声送信モード・音声受信モードにおける全体動作］
音声送信モードにある送信側無線機１（図１）が、図５（Ａ−１）に示すタイミングで、音声信号を送信すると、音声受信モードにある受信側無線機２（図２）は、図５（Ｂ−１），（Ｂ−４）に示すタイミングで、送信側無線機１からの音声信号を受信して出力する。
【００３５】
さらに詳細に説明する。
図６（Ａ）に矢印（ａ）を付して示すように、送信側無線機１に対して、ユーザが、チャネルスイッチ１０６によりチャネルを２ＣＨに設定すると、送信側無線機１は、音声送信モードとなる。
送信側無線機１において、ユーザがＰＴＴスイッチ１０８を押下し、マイク１００に向かって話すと、ユーザの音声は、マイクによって受けられ、加算器１０４およびＦＭ送信機１１８を介して、受信側無線機２に対して、図６（Ａ）に矢印（ｂ）を付して示すように、無線送信される。
図７（Ａ）に矢印（ａ）を付して示すように、受信側無線機２に対して、ユーザが、チャネルスイッチ２１６によりチャネルを３ＣＨに設定し、受信側無線機２は、音信送信モードで送信された音声を受信する。（音声受信モード）。
受信側無線機２において、ＦＭ受信機２００は、図７（Ａ）に矢印（ｂ）を付して示すように、送信側無線機１から送られてきた信号を受信し、音声信号に復調し、出力する。
【００３６】
［データ送信モード・データ受信モードにおける全体動作］
データ送信モードにある送信側無線機１（図１）に、図５（Ａ−２）ｂで示すタイミングで、データが入力されると、送信側無線機１は、このタイミングで、受信側無線機２（図２）に対して入力されたデータおよび図５（Ａ−３）に示すタイミングでＤＣＳコードを送信する。
データ受信モードにある受信側無線機２（図２）は、図５（Ｂ−２），（Ｂ−３）にｂで示すタイミングで、送信側無線機１からのデータおよびＤＣＳデータを受信する。
【００３７】
さらに詳細に説明する。
図６（Ｂ）に矢印（ａ）を付して示すように、送信側無線機１に対して、ユーザが、チャネルスイッチ１０６によりチャネルを１または３ＣＨに設定すると、送信側無線機１は、データ送信モードとなる。
データ送信モードにおいて、送信側無線機１にデータが入力されると、送信側無線機１は、図６（Ｂ）に矢印（ｂ）を付して示すように、３００Ｈｚ〜３．４ｋＨｚの帯域を介して、音声／データ送信モードにおいてよりも高いデータレートのデータを、図６（Ｂ）に矢印（ｃ）を付して示すように、３００Ｈｚ以下の帯域を介して、ＤＣＳコードを、受信側無線機２に対して送信する。
【００３８】
図７（Ｂ）に矢印（ａ）を付して示すように、受信側無線機２に対して、ユーザが、チャネルスイッチ２１６によりチャネルを３ＣＨに設定し、受信側無線機２は、データ送信モードで送信されたデータを受信する。（データ受信モード）。
受信側無線機２において、ＦＭ受信機２００は、図７（Ｂ）に矢印（ｂ）を付して示すように、送信側無線機１から送られてきた信号を受信し、ＬＰＦ２０４を介してＤＣＳデコーダに対して出力する。
ＤＣＳデコーダは、受信されたＤＣＳコードと、制御部２４から設定されたＤＣＳコードが一致すると、スイッチ２１０を開き、スイッチ２２４を閉じる。
図７（Ｂ）に矢印（ｃ）を付して示すように、制御部２４は、ＭＳＫ復調器２０６が、ＦＭ受信機２００が受信した信号から復調したデータを、加算器２１８を介して受け、データ出力端子２２６から外部のコンピュータなどに対して出力する。
【００３９】
［音声／データ送信モード・音声／データ受信モードにおける全体動作］
音声送信モードにある送信側無線機１（図１）が、図５（Ａ−１）に示すタイミングで、音声信号を送信すると、音声受信モードにある受信側無線機２（図２）は、図５（Ｂ−１），（Ｂ−４）に示すタイミングで、送信側無線機１からの音声信号を受信して出力する。
さらに、送信側無線機１に、図５（Ａ−２）にａ，ｃで示すタイミングでデータ入力端子１１０からデータが入力されると、図３（Ｃ）に示したように、３００Ｈｚ〜３．４ｋＨｚの帯域を介して音声信号が、３００Ｈｚ以下の帯域を介して低いデータレートのデータが、受信側無線機２に対して送信され、受信側無線機２は、図５（Ｂ−２）にａ，ｃで示すタイミングで、音声信号とともに、低いデータレートのデータを受信する。
また、データ送信モードにある送信側無線機１（図１）に、図５（Ａ−２）にａ，ｃで示すタイミングで、データが入力され、さらに、送信側無線機１（図１）に、図５（Ａ−１）に示すタイミングで、マイク１００から音声信号が送信されても、上記と同様に、図３（Ｃ）に示したように、３００Ｈｚ〜３．４ｋＨｚの帯域を介して音声信号が、３００Ｈｚ以下の帯域を介して低いデータレートのデータが、受信側無線機２に対して送信され、受信側無線機２は、図５（Ｂ−２）にａ，ｃで示すタイミングで、音声信号とともに、低いデータレートのデータを受信する。
【００４０】
さらに詳細に説明する。
図６（Ｃ）に矢印（ａ）を付して示すように、送信側無線機１に対して、ユーザが、チャネルスイッチ１０６によりチャネルを２ＣＨに設定すると、送信側無線機１は、音声送信モードとなる。
音声送信モードにおいて、送信側無線機１にデータが入力されると、送信側無線機１は、音声／データ送信モードとなり、図６（Ｃ）に矢印（ｂ），（ｃ）を付して示すように、音声信号とともに、低いデータレートのデータを、受信側無線機２に対して送信する。
また、図６（Ｃ）に矢印（ａ）を付して示すように、送信側無線機１に対して、ユーザが、チャネルスイッチ１０６によりチャネルを１または３ＣＨに設定すると、送信側無線機１は、データ送信モードとなり、データ送信モードにおいて、送信側無線機１に音声が入力されても、送信側無線機１は、同様に、音声／データ送信モードとなり、図６（Ｃ）に矢印（ｂ），（ｃ）を付して示すように、音声信号とともに、低いデータレートのデータを、受信側無線機２に対して送信する。
【００４１】
図７（Ｃ）に矢印（ａ）を付して示すように、受信側無線機２に対して、ユーザが、チャネルスイッチ２１６によりチャネルを３ＣＨに設定し、受信側無線機２は、音声／データ送信モードで送信された音声、データを受信する。（音声／データ受信モード）。
受信側無線機２において、ＦＭ受信機２００は、図７（Ｃ）に矢印（ｂ）を付して示すように、送信側無線機１から送られてきた信号を受信し、音声信号に復調し、出力する。
また、図７（Ｃ）に矢印（ｃ）を付して示すように、制御部２４は、ＦＭ受信機２００が、送信側無線機１から受信した信号を、ＬＰＦ２０４、データ受信部２２２および加算器２１８を介して受けて、データ出力端子２２６を介して、外部のコンピュータなどに対して出力する。
【図面の簡単な説明】
【００４２】
【図１】本発明に係る送信側無線機の構成を示す図である。
【図２】本発明に係る受信側無線機の構成を示す図である。
【図３】本発明にかかる送信側無線機（図１）および受信側無線機（図２）による周波数帯域利用方法を例示する図である。
【図４】送信側無線機（図１）および受信側無線機（図２）のチャネルごとに設定される設定情報（チャネル毎設定情報）を例示する図である。
【図５】送信側無線機（図１）の送信動作および受信側無線機（図２）の受信動作を示す図である。
【図６】送信側無線機（図１）における信号・データの流れを示す図である。
【図７】受信側無線機（図２）における信号・データの流れを示す図である。
【符号の説明】
【００４３】
１・・・送信側無線機
１００・・・マイク
１０２・・・ＨＰＦ
１０４・・・加算器
１０６・・・チャネルスイッチ
１０８・・・ＰＴＴスイッチ
１１０・・・データ入力端子
１１２・・・ＤＣＳエンコーダ
１１４・・・ＬＰＦ
１１６・・・ＭＳＫ変調器
１１８・・・ＦＭ送信機
１２０・・・アンテナ
１２２・・・マイク操作検出部
１４・・・制御部
１４０・・・ＣＰＵ
１４２・・・メモリ
２・・・受信側無線機
２００・・・ＦＭ受信機
２０２・・・ＨＰＦ
２０４・・・ＬＰＦ
２０６・・・ＭＳＫ復調器
２０８・・・ＤＣＳデコーダ
２１０・・・スイッチ
２１２・・・音声増幅器
２１４・・・スピーカ
２１６・・・チャネルスイッチ
２１８・・・加算器
２２０・・・アンテナ
２２２・・・データ受信部
２２４・・・スイッチ
２２６・・・データ出力端子
【図１】
2009232032.tif 000003
【図２】
2009232032.tif 000004
【図３】
2009232032.tif 000005
【図４】
2009232032.tif 000006
【図５】
2009232032.tif 000007
【図６】
2009232032.tif 000008
【図７】
2009232032.tif 000009